(57)【要約】【課題】うどんやラーメン等の麺類のような滑りやすい食材を容易につまむことができると共に、洗浄を容易に行うことができ、食堂などで繰り返し使用が可能な箸を提供する。【解決手段】先端部に、扁平Ｖ字状溝を全周に亘って形成すると共に、該扁平Ｖ字状溝を長さ方向に沿って複数個連続して形成したことを特徴とする箸。【選択図】図１
0003151541.tif 000002
【実用新案登録請求の範囲】
【請求項１】
先端部に、扁平Ｖ字状溝を全周に亘って形成すると共に、該扁平Ｖ字状溝を長さ方向に沿って複数個連続して形成したことを特徴とする箸。
【請求項２】
先端部を、横断面が四角形状を有し、２個の台形台の頂面が互いに重なり合った小ブロック体の複数個を、その底面を互いに重なり合わせて長さ方向に沿って一体に連設した形状に形成した請求項１記載の箸。
【請求項３】
扁平Ｖ字状溝の幅が２〜６ｍｍで、深さが０．２〜０．６ｍｍである請求項１又は２記載の箸。
【請求項４】
先端部の基部から先部にかけて太さが漸次細くなるように形成した請求項１〜３のいずれか１項記載の箸。
【考案の詳細な説明】
【技術分野】
【０００１】
本考案は、滑りやすい食材、特にうどんやラーメンなどの麺類をつまみやすい箸に関する。
【背景技術】
【０００２】
食堂などの不特定多数の人間が利用する施設において、箸として、木材を用いた使い捨ての割り箸が多く用いられている。しかし、環境問題に対する意識の高まりから洗浄することにより繰り返し使用可能な箸に対する需要が高まっている。このような箸は、取り扱い性や生産コスト（経済性）等の観点から、通常、軽量で成形が容易であり、食器洗浄機などを傷つけることのないプラスチック素材が多く用いられている。そのため、表面が滑りやすいものが多く、滑りやすい食材、特にうどんやラーメン等の麺類などはつまみにくく、食べにくい場合があった。
【０００３】
従来、このような問題を解決するため、箸の食材をつまむ先端部に断面四角形又は断面三角形の溝を、所定間隔離間して複数形成したものが知られている（特許文献１：登録実用新案第３１４２９５６号公報参照）。しかしながら、これらの箸は手洗いや食器洗浄機では洗浄しにくく、溝の中に食物残渣が残る場合があり、衛生的に好ましいものではなかった。これに対し、登録実用新案第３１４２９５６号公報（特許文献１）では、先端部の溝をなだらかな波状曲線とすることを提案しているが、特にうどんやラーメン等の麺類といった滑りやすい食材をつまみにくい場合があり、未だ改善の余地が残される。
【先行技術文献】
【特許文献】
【０００４】
【特許文献１】登録実用新案第３１４２９５６号公報
【考案の概要】
【考案が解決しようとする課題】
【０００５】
本考案は、上記事情に鑑みなされたもので、うどんやラーメン等の麺類のような滑りやすい食材を容易につまむことができると共に、洗浄を容易に行うことができ、食堂などで繰り返し使用が可能な箸を提供することを目的とする。
【課題を解決するための手段】
【０００６】
本考案は、上記目的を達成するため、繰り返し洗浄して使用することができる箸として下記の（１）〜（４）の考案を提供する。
（１）先端部に、扁平Ｖ字状溝を全周に亘って形成すると共に、該扁平Ｖ字状溝を長さ方向に沿って複数個連続して形成したことを特徴とする箸。
（２）先端部を、横断面が四角形状を有し、２個の台形台の頂面が互いに重なり合った小ブロック体の複数個を、その底面を互いに重なり合わせて長さ方向に沿って一体に連設した形状に形成した（１）記載の箸。
（３）扁平Ｖ字状溝の幅が２〜６ｍｍで、深さが０．２〜０．６ｍｍである（１）又は（２）記載の箸。
（４）先端部の基部から先部にかけて太さが漸次細くなるように形成した（１）〜（３）のいずれか１項記載の箸。
【考案の効果】
【０００７】
本考案にかかる箸は、洗浄が容易である上、先端部に形成した扁平Ｖ字状溝により、滑りやすい食材でもつまみやすく、特にうどんやラーメン等の麺類を食す場合に好適に使用することができるものである。
【図面の簡単な説明】
【０００８】
【図１】本考案にかかる箸の一実施例を示す説明図である。（Ａ）は箸全体の平面図、（Ｂ）は基端面の形状、（Ｃ）はＡ−Ａ線に沿った断面の形状、（Ｄ）は先端面の形状をそれぞれ示す。
【図２】図１に示した箸の先端部の拡大図である。
【考案を実施するための形態及び実施例】
【０００９】
以下、図面に示した具体例（実施例）に従って、本考案をより具体的に説明する。
図１は本考案の一実施例にかかる箸１を示すものであり、食材をつまむ先端部２に扁平Ｖ字状溝２１を全周に亘って形成すると共に、該扁平Ｖ字状溝２１を長さ方向に沿って複数個連続して形成してなるものである。ここで、該箸１の横断面の形状は、デザイン等に応じて円、四角形及び六角形等の形状から適宜選択され、特に制限されるものではないが、転がりを防止する場合、四角形や六角形等の多角形にするとよい。例えば、図１では基端面は六角形状、先端面は四角形状（略正方形状）とし、基端から先端にかけて漸次太さを細くしている。この場合、図１（Ｃ）に示されるようにＡ−Ａ線に沿った断面は略四角形状となっており、上記先端部２は、横断面が略正方形状で基部から先部にかけて太さが細くなるように形成されている。
【００１０】
なお、上記のように先端部２の横断面を四角形状（略正方形状）とした場合、該先端部２は２個の台形台の頂面が互いに重なり合った小ブロック体の複数個を、その底面を互いに重なり合わせて長さ方向に沿って一体に連設した形状となる。
【００１１】
また、箸１の長さは、使用者や用途等に応じて適宜設定され、特に制限されるものではないが、箸の持ちやすさ及び食材のつまみやすさ等の観点から、通常１８０〜２４０ｍｍ程度とされる。また、先端部２の長さについても特に制限されるものではないが、食材のつまみやすさ等の観点から、通常は６０ｍｍ以下の長さとし、かつ全体として基部から先部に向かって漸次細くなる形状とされる。この場合、先端部２の太さは、特に制限されるものではないが、通常は２〜６ｍｍとされる。なお、ここで「太さ」とは、円の場合は直径、四角形等の多角形の場合は対角長を示す。
【００１２】
図２に、図１に示した箸１の先端部２を拡大した図を示す。上記溝２１は、扁平Ｖ字状溝であり、上記先端部２に、周方向に沿ってその全周に亘って形成されている。また、この溝２１は上記先端部２に長さ方向に沿って複数個（図１では８個）連続して形成され、隣り合う溝２１同士は互いに離間することなく稜線で接している。即ち、長さ方向に沿って切断した断面において、その両縁部が、それぞれ扁平Ｖ字状溝が連続した鋸歯状に形成されている。
【００１３】
ここで上記溝２１の幅Ｗ及び深さＤは、箸１の大きさ、形状、デザイン、食材のつまみやすさ及び洗浄しやすさ等の観点から適宜設定されるものであるが、通常、溝２１の幅Ｗは２〜６ｍｍとされ、溝２１の深さＤは０．２〜０．６ｍｍとされる。
【００１４】
なお、図１には８個の溝２１を形成した例を示したが、該溝２１は食材をつまむ先端部２のほぼ全域をカバーするように形成すればよく、上記の溝２１の形成数、幅Ｗ及び深さＤは、箸１の長さや太さ等の仕様に応じて適宜調整される。なお、ここで全ての溝２１の幅Ｗ及び深さＤが同じである必要はなく、例えば、上記範囲内において先端部２の基部から先部にかけて徐々に小さく或いは浅くするなどしてもよい。
【００１５】
このように、箸１の先端部２に上述した扁平Ｖ字状の溝２１を長さ方向に沿って複数個連続して形成することにより、洗浄しやすさを損なうことなく、従来の断面形状をなだらかな波状曲線とした溝に比較して麺類等の滑りやすい食材をよりつまみやすくすることができる。
【００１６】
本考案の箸を製造する場合、公知のプラスチックや金属材料等から必要に応じて適宜選択し、公知の成形手段を用いて成形すればよい。本考案においては、出来上がった箸の取り扱い性等の観点から、とりわけプラスチック材料を好適に用いることができる。また、プラスチック材料を用いる場合、公知の添加剤を配合して機能を付与すること等も任意である。
【００１７】
特に図示しないが、上記のような溝２１を箸１の先端部２に形成することにより、該先端部２は全体として、台形状の平面が連なっているように見えるため、幾何学的な美しさを有し、また光の反射等により美観に優れたものとなり得る。
【００１８】
なお、本考案は、上記実施例に限定されるものではなく、各部の形状及び配置などは、適宜変更することができ、その他の構成も本考案の要旨を逸脱しない範囲で適宜変更して差し支えない。例えば、基端部に装飾を施したり、装飾を目的とした形状変更を施すことなどは任意である。
【００１９】
このように、本考案にかかる箸は、洗浄が容易で繰り返し使用が可能であり、滑りやすい食材でもつまみやすく、特にうどんやラーメン等の麺類を食す場合に好適に使用することができるものである。
【符号の説明】
【００２０】
１  箸
２  先端部
２１  溝（扁平Ｖ字状溝）
Ｗ  溝の幅
Ｄ  溝の深さ
【図１】
0003151541.tif 000003
【図２】
0003151541.tif 000004